(57)【要約】【課題】  撮影レンズの色収差の要因で同一距離の被写体であっても焦点検出結果に差（ピントずれ）が生じることを防止した光学装置を提供する。【解決手段】  被写体によって反射された光を一対の受光センサーにより受光し、前記一対の受光センサーからの信号を相対的にシフトして、前記一対の受光センサーからの信号の相関量の変移から位相差を求め、前記位相差に応じて焦点調節駆動をするための焦点検出情報を検出する焦点検出手段と、被写体光中の複数の波長領域ごとの信号を検出する検出手段と、複数の波長領域に応じた光学系のピントずれ情報を保持する保持手段と、前記波長領域ごとの信号の比が変化すると、前記光学系のピントずれ情報に基づいて前記焦点調節駆動を変更するよう制御する制御手段とを備えたことを特徴とする光学装置を提供する。【選択図】  図１
2006317595.tif 000002
【特許請求の範囲】
【請求項１】
被写体によって反射された光を一対の受光センサーにより受光し、前記一対の受光センサーからの信号を相対的にシフトして、前記一対の受光センサーからの信号の相関量の変移から位相差を求め、前記位相差に応じて焦点調節駆動をするための焦点検出情報を検出する焦点検出手段と、
被写体光中の複数の波長領域ごとの信号を検出する検出手段と、
複数の波長領域に応じた光学系のピントずれ情報を保持する保持手段と、
前記波長領域ごとの信号の比が変化すると、前記光学系のピントずれ情報に基づいて前記焦点調節駆動を変更するよう制御する制御手段とを備えたことを特徴とする光学装置。
【請求項２】
前記複数の波長領域は、Ｒ、Ｇ、Ｂに対応する波長領域であることを特徴とする請求項１に記載の光学装置。
【請求項３】
被写体光中の赤外光であるＩＲに対応する波長領域の信号を検知する検知手段を更に備え、
前記制御手段は、前記Ｒ、Ｇ、Ｂに対応する各波長領域の信号比と前記ＩＲに対応する波長領域の信号比に応じて、前記焦点調節駆動を変更することを特徴とする請求項２に記載の光学装置。
【請求項４】
被写体光を受光して焦点調節駆動をするための焦点検出情報を検出する焦点検出手段と、
被写体光中の複数の波長領域ごとの信号を検出する検出手段と、
複数の波長領域に応じた光学系のピントずれ情報を保持する保持手段と、
赤外領域の信号を検出する検出手段と、
前記複数の波長領域ごとの信号と前記赤外領域の信号の少なくとも一方が変化すると、前記光学系のピントずれ情報に基づいて前記焦点調節駆動を変更するよう制御する制御手段とを備えたことを特徴とする光学装置。
【請求項５】
前記検出手段は、露光量を調節するために被写体領域の光量を測定する測光手段を更に備えたことを特徴とする請求項１乃至４のいずれか１項に記載の光学装置。
【請求項６】
前記検出手段は、前記焦点検出手段と同一基板上に配置されていることを特徴とする請求項１乃至４のいずれか１項に記載の光学装置。
【請求項７】
前記検出手段は、被写体光を光電変換する撮像素子であり、
該撮像素子の出力を映像信号にする画像処理手段を更に備えたことを特徴とする請求項１乃至４のいずれか１項に記載の光学装置。
【請求項８】
被写体によって反射された光を一対の受光センサーにより受光し、前記一対の受光センサーからの信号を相対的にシフトして、前記一対の受光センサーからの信号の相関量の変移から位相差を求め、前記位相差に応じて焦点調節駆動をするための焦点検出情報を検出する焦点検出手段を備えた光学装置の制御方法であって、
被写体光中の複数の波長領域ごとの信号の比が変化すると、複数の波長領域に応じた光学系のピントずれ情報に基づいて焦点調節駆動を変更することを特徴とする光学装置の制御方法。
【請求項９】
被写体光を受光して焦点調節駆動をするための焦点検出情報を検出する焦点検出手段を備えた光学装置の制御方法であって、
被写体光中の赤外領域の信号を検出するステップと、
被写体光中の複数の波長領域ごとの信号を検出するステップと、
前記複数の波長領域ごとの信号と前記赤外領域の信号の少なくとも一方が変化すると、複数の波長領域に応じた光学系のピントずれ情報に基づいて焦点調節駆動を変更するステップとを有することを特徴とする光学装置の制御方法。
【発明の詳細な説明】
【技術分野】
【０００１】
本発明は焦点検出機能を備えたカメラ等の光学装置に関する。
【背景技術】
【０００２】
図７に示すような位相差式の焦点検出装置により同一距離の被写体の焦点検出を行った場合、撮影レンズ２１の色収差の要因で図３に示す様に波長毎に、焦点検出結果に差（ピントずれ）が生じる。
【０００３】
ここで各種光源により発生する焦点検出結果のずれを説明する。
【０００４】
光源の分光として代表的な例として、図４に示すように（Ａ２）はＡ光源の分光特性、（Ｂ２）は太陽光の分光特性、（Ｃ２）は蛍光灯の分光特性がある。また前述したように、レンズの色収差の例を図３に示している。
【０００５】
例えば、光源の分光が、６００ｎｍ単波長であった場合、図３に示す６００ｎｍは、色収差によるＡＦのずれは０である。それに対して、夫々の光源の分光が単波長であった場合、５００ｎｍでは−０．１ｍｍ、逆に７５０ｎｍでは０．１５ｍｍのずれを生じる。
【０００６】
そして図４に示したようなＡ光源（Ａ２）の分光特性、太陽光（Ｂ２）、蛍光灯（Ｃ２）では夫々の光源の波長毎の強度（透過率が高いほど強度が大きい）と、図３に示す波長毎の、焦点検出結果を乗じた結果と、その和が光源の差によるずれとなる。
【０００７】
図３のＹ軸の＋は前ピン、−は後ピンとなる。Ａ光源（Ａ２）は７００ｎｍ付近が光強度が大きいのに対して、太陽光（Ｂ２）では７００ｎｍの光強度が若干減少して５５０ｎｍが増加している。よって、Ａ光源（Ａ２）より後ピン傾向になる。また蛍光灯（Ｃ２）においては、６５０ｎｍ以上の光強度は殆ど無くなり、図３に示す波長毎の、焦点検出結果の−側の波長領域に殆どの光が占められている。よって蛍光灯での焦点検出結果は更に後ピンとなる。
【０００８】
このような焦点検出にずれが生じてしまう焦点検出装置に対して、被写体像を結像する一対の結像光学系と、上記結像光学系のそれぞれの結像面に配置された受光手段と、その一対の受光手段のそれぞれに結像した被写体像の位置関係から、撮影レンズの焦点調節情報を出力する出力手段と、焦点調節情報に基づいて、撮影レンズを駆動する駆動手段を具備する自動焦点調節装置であって、上記受光手段とは別に設けられていて、上記被写体光束の可視光領域と赤外光領域にそれぞれ主感度を有する第１及び第２の測光手段と、上記第１及び第２の測光手段のそれぞれの測光値に応じて、上記焦点調節情報を補正する補正手段と、を具備することを特徴とする自動焦点調節装置が提案されている（例えば、特許文献１）。
【特許文献１】特開２０００−２９２６８２号公報
【発明の開示】
【発明が解決しようとする課題】
【０００９】
しかしながら文献１に開示されたカメラ等の自動焦点検出装置においては、自然光と判断された場合は駆動量補正値が「０」、白熱光と判断された場合は駆動量補正値が「α」、蛍光灯と判断された場合は駆動量補正値が「β」というように、補正量は予めＥＥＰＲＯＭに記憶されているものを用いるので、それぞれの被写体の分光特性の違いにより焦点検出結果にずれが発生する虞があった。
【００１０】
本発明の目的は、撮影レンズなどの光学系の色収差の要因で被写体ごとに焦点検出結果にずれが生じる場合であっても、精度の良い焦点検出情報もしくは焦点調節情報を得る技術を提供するものである。
【課題を解決するための手段】
【００１１】
本発明の光学装置は、被写体によって反射された光を一対の受光センサーにより受光し、前記一対の受光センサーからの信号を相対的にシフトして、前記一対の受光センサーからの信号の相関量の変移から位相差を求め、前記位相差に応じて焦点調節駆動をするための焦点検出情報を検出する焦点検出手段と、被写体光中の複数の波長領域ごとの信号を検出する検出手段と、複数の波長領域に応じた光学系のピントずれ情報を保持する保持手段と、前記波長領域ごとの信号の比が変化すると、前記光学系のピントずれ情報に基づいて前記焦点調節駆動を変更するよう制御する制御手段とを備えたことを特徴とする。
【００１２】
また、本発明の光学装置は、被写体光を受光して焦点調節駆動をするための焦点検出情報を検出する焦点検出手段と、被写体光中の複数の波長領域ごとの信号を検出する検出手段と、複数の波長領域に応じた光学系のピントずれ情報を保持する保持手段と、赤外領域の信号を検出する検出手段と、前記複数の波長領域ごとの信号と前記赤外領域の信号の少なくとも一方が変化すると、前記光学系のピントずれ情報に基づいて前記焦点調節駆動を変更するよう制御する制御手段とを備えたことを特徴とする。
【００１３】
また、本発明の光学装置の制御方法は、被写体によって反射された光を一対の受光センサーにより受光し、前記一対の受光センサーからの信号を相対的にシフトして、前記一対の受光センサーからの信号の相関量の変移から位相差を求め、前記位相差に応じて焦点調節駆動をするための焦点検出情報を検出する焦点検出手段を備えた光学装置の制御方法であって、被写体光中の複数の波長領域ごとの信号の比が変化すると、複数の波長領域に応じた光学系のピントずれ情報に基づいて焦点調節駆動を変更することを特徴とする。
【００１４】
また、本発明の光学装置の制御方法は、被写体光を受光して焦点調節駆動をするための焦点検出情報を検出する焦点検出手段を備えた光学装置の制御方法であって、被写体光中の赤外領域の信号を検出するステップと、被写体光中の複数の波長領域ごとの信号を検出するステップと、前記複数の波長領域ごとの信号と前記赤外領域の信号の少なくとも一方が変化すると、複数の波長領域に応じた光学系のピントずれ情報に基づいて焦点調節駆動を変更するステップとを有することを特徴とする。
【発明の効果】
【００１５】
本発明によれば被写体の分光特性の差により発生するピント差を小さくすることが出来る。
【発明を実施するための最良の形態】
【００１６】
本発明を実施するための最良の形態は、以下に記載の実施例に示す通りである。
【００１７】
（第１の実施例）
図１は本発明の第１の実施例におけるカメラ等の光学装置の構成を表す図であり、カメラボディ１には種々の撮影レンズ２が装着可能であり、また焦点検出を補助する為に被写体に光を投射する補助光装置３が内蔵あるいは着脱自在となるように設けられている。撮影レンズ２の撮影光学系２１を通過した光束は、カメラボディ内の中央部をハーフミラーで構成したメインミラー５を通りサブミラー６により反射され、ＡＦ反射ミラー１２、フィールドレンズ１３、図２２に示す分光特性を有するＩＲカットフィルタ１４、メガネレンズ１５を介して、ＡＦイメージセンサー１６に導かれる。ＡＦイメージセンサー１６はマイコン１１からの種々のクロック及び制御信号を受けて、センサーの蓄積制御を行い、マイコン１１は、ＡＦイメージセンサー１６により光電変換されたデータをとり込み、一対のＡＦイメージセンサー（受光センサー）からのデータ（信号）を相対的にシフトして、データの相関量の変移から位相差を求めて焦点検出情報を検出する位相差方式による焦点検出アルゴリズムにより、これらのデータを処理して焦点検出を行い、撮影レンズ２の撮影光学系２１の焦点調整状態に関する情報を得る。
【００１８】
レンズ２内に設けられたレンズ情報送出手段２２はマイコン１１に対して撮影光学系２１の複数の波長毎に有する色収差によるピントのずれ量のデータ等の情報（ピントずれ情報）を出力する。また、ＡＦイメージセンサー１６は複数の焦点検出位置を有している。ＡＦイメージセンサー１６をファインダー上に図示すると、センサー位置は図８のＬ１〜Ｌ８のように配置している。
【００１９】
補助光装置３は、投光光学系３１、ＩＲＥＤ（近赤外発光ダイオード）等の光源３２、光源駆動手段３３から成り、光源駆動手段３３はマイコン１１の指令を受けて光源３２を発光させ、投光光学系３１により被写体が照明されるようになっており、例えば被写体上に特定のパターンが投影される。この補助光装置３は、被写体が暗く焦点検出が不可能である場合に、自動的にあるいは外部操作に応じて作動させられるように構成されている。この補助光装置３の作動により、暗い被写体でもＡＦイメージセンサー１６より検出されて、その検出データがマイコン１１により処理され焦点検出状態が求められる。
【００２０】
ペンタプリズム１０３、ファインダー光学系１０４は、撮影レンズ２の撮影光学系２１を通過した光束をカメラボディ内の中央部をハーフミラーで構成したメインミラー５によりファインダー１００に導く。また、測光センサー１０５は、ペンタプリズム１０３より導かれた光束を、測光レンズ１０６を介して受光する。測光センサー１０５は前述のＡＦイメージセンサー１６同様に複数の測光検出位置を有している。測光センサー１０５をファインダー上に図示すると、センサー位置は図８の□で示すように７０×５０の３５００分割され、拡大すると、図１１に示すように、６３０ｎｍを中心とする赤の感度を持つＲ、５４０ｎｍを中心とする緑の感度を持つＧ、４６０ｎｍを中心とするＢ、７２０ｎｍの感度を中心とするＩＲを配置している。
【００２１】
撮像素子１０２は、メインミラー５とサブミラー６がミラーアップの状態で、不図示の絞りとシャッター１０１による露出制御により撮影レンズ２の撮影光学系２１を通過した光束を受けて撮像する。
【００２２】
図２は、本発明の第１の実施例の焦点検出の動作（以下ＡＦ動作）を示したフローチャートである。
【００２３】
本フローチャートをもとに本発明のＡＦ動作を説明する。まず、Ｓ１０１にてマイコン１１から制御信号を受けてＡＦイメージセンサー１６は図１３に示すような複数のラインセンサーＬ１ａ、Ｌ１ｂ〜Ｌ８ａ、Ｌ８ｂの８個ＡＦポイントの積分を開始する。そして、Ｓ１０２にて、ラインセンサーの中の最大の積分値が所定レベルに達したか否か判定する。ここで所定レベルに達するまで積分を行い、最大値が所定レベルに達したら、Ｓ１０３にて積分を停止する。そしてＳ１０４でマイコン１１にて積分にて得られたセンサーデータをもとに相関演算を行い夫々のＡＦポイントの演算結果を算出する。そして夫々のＡＦポイントの演算結果より適正なＡＦポイント（例えば最も近い被写体等）を焦点検出のアルゴリズムより求める。そして、Ｓ１０４にて求められたＡＦの結果をもとに、Ｓ１０５にて撮影レンズ２内撮影光学系２１の駆動を開始する。そして、Ｓ１０６でレンズが所定デフォーカス量以内か判定して、所定デフォーカス以内であれば、Ｓ１０７にて一度レンズ駆動を停止して、Ｓ１０８にて測光センサー１０５による測光を行う。このときの測光は、Ｓ１０４の演算にて算出した演算結果をもとに選択されたＡＦポイントと合致する測光エリアを測光する。例えばＳ１０４にて選択されたＡＦポイントがＬ６ａとＬ６ｂであった場合、図８のＬ６に位置する測光エリアを、またＬ４ａとＬ４ｂを選択された場合、図８のＬ４に位置する測光エリアを測光する。そして、Ｓ１０９では、Ｓ１０８にて行った測光の結果をもとにＡＦの補正演算を行う。そして、Ｓ１１０にてＳ１０６までに行ったレンズ駆動量に対して残りの駆動量と、Ｓ１０９で算出した補正量を加えた駆動量の駆動を開始して、Ｓ１１１にてレンズ駆動が完了したか否かの判定を行い、完了したらＳ１１２でレンズ駆動を停止してＡＦのシーケンスを終了する。
【００２４】
Ｓ１０９の補正演算を図９に示すグラフをもとに説明する。（５）はレンズの前述図３と同様に波長毎のピント位置を示している。（１）〜（４）は図１１に示す測光センサー１０５のＲ、Ｇ、Ｂ、ＩＲの夫々の透過分光を示し、（１）は青のＢ、（２）は緑のＧ、（３）は赤のＲ、（４）は赤外のＩＲの透過分光である。
【００２５】
まず、ＡＦにおいては図４（Ｄ２）に示すような分光特性を有するＡＦ基準光源なる光源で所定の距離にてＡＦ調整される（Ｓ１０４）。このとき、ＡＦイメージセンサー１６及びメインミラー５、サブミラー６、フィールドレンズ１３、メガネレンズ１５等の分光透過率は３５０ｎｍ〜８００ｎｍまで均一な分光特性と仮定し、ＩＲカットフィルターのみ図２２に示す分光特性として、波長強度の割合から、図９の色収差をもとにピント位置ずれ量を算出すると色収差中心は５８μｍ程度の色収差で相関演算行ったこととなる。
【００２６】
このＡＦ調整に対する色収差補正値をＲ、Ｇ、Ｂ、ＩＲ、の測光結果をもとに算出する。ここでＡＦ基準光源のＲ、Ｇ、Ｂ、ＩＲの測光結果の比は、Ｒ＝６．７５、Ｇ＝４．４、Ｂ＝１．９、ＩＲ＝５．６４である。この測光の検出結果の比に対して、図９の夫々の色フィルターの分光の透過ピーク位置の色収差の値を係数として補正値を求める。図９より、Ｂの色収差の係数は色収差のグラフより−５０μｍ、Ｇの色収差の係数は色収差のグラフより−７５μｍ、Ｒの色収差の係数は色収差のグラフより＋４３μｍ、ＩＲの色収差の係数は色収差のグラフより＋１７５μｍ、である。
【００２７】
本実施例では、本色収差の係数（波長毎の色収差データ）は、撮影レンズ２内レンズ情報２２のＥＥＰＲＯＭに記憶されている構成としたが、カメラ本体内ＥＥＰＲＯＭに記憶しておいてもよい。
【００２８】
夫々の測光結果は、ＲをＡＥＲ、ＧをＡＥＧ、ＢをＡＥＢ、ＩＲをＡＥＩＲとする。また、色収差係数は、ＲをＫＲ、ＧをＫＧ、ＢをＫＢ、ＩＲをＫＩＲとする。これらの記号を用いて算出式を表すと、色収差補正値は、
補正値Ｂ＝ＫＢ×ＡＥＢ／（ＡＥＢ＋ＡＥＧ＋ＡＥＲ＋ＡＥＩＲ）
補正値Ｇ＝ＫＧ×ＡＥＧ／（ＡＥＢ＋ＡＥＧ＋ＡＥＲ＋ＡＥＩＲ）
補正値Ｒ＝ＫＲ×ＡＥＲ／（ＡＥＢ＋ＡＥＧ＋ＡＥＲ＋ＡＥＩＲ）
補正値ＩＲ＝ＫＩＲ×ＡＥＩＲ／（ＡＥＢ＋ＡＥＧ＋ＡＥＲ＋ＡＥＩＲ）
補正値＝補正値Ｂ＋補正値Ｇ＋補正値Ｒ＋補正値ＩＲ
となる。
【００２９】
上記算出式により、図４のＤ２に示すＡＦ基準光源の色収差補正値は、約５０μｍとなる。
【００３０】
よって、相関演算を算出した色収差中心＝５８μｍに対して色収差補正値＝５０μｍを引いた値、８μｍが色収差補正後のフォーカスレンズ位置の値となる。
【００３１】
なお、このときのＲ、Ｇ、Ｂ、ＩＲの夫々の測光センサー１０５の測光結果は予めＥＥＰＲＯＭに記憶しておくものとする。
【００３２】
上記基準に対して、図６に示すような蛍光灯下での赤（ａ）、緑（ｂ）、青（ｃ）の夫々の被写体の補正演算を行う。図６（ａ）に示す赤の被写体の場合、ＡＦセンサー１６によりそのままＡＦを行うと、図６（ａ）に示す波長強度の割合と、図９の色収差をもとにピント位置ずれ量を算出すると蛍光灯下での赤の被写体では９μｍ程度の色収差中心で相関演算行ったこととなる。
【００３３】
蛍光灯下での赤い被写体でのＲ、Ｇ、Ｂ、ＩＲの測光結果の比は、Ｒ＝０．７、Ｇ＝０．４３、Ｂ＝０．０８、ＩＲ＝０．０７となる。この夫々の出力比と色収差係数をもとに前述と同様に補正量を算出すると、色収差補正値は、約６μｍとなる。前述の基準光源での計算と同様に、相関演算で算出した色収差中心＝９μｍに対して色収差補正値＝６μｍを引いた値、３μｍが色収差補正後の値となる。即ち、Ｒ、Ｇ、Ｂ、ＩＲの測光結果と色収差係数をもとに補正量を算出した結果を相関演算に加味した場合、ＡＦ基準光源８μｍと蛍光灯下の赤の被写体では２μｍで、夫々の補正後の差は６μｍ程度のずれで収まるのに対して、補正をかけない場合は、ＡＦ基準光源では色収差中心５８μｍと蛍光灯下の赤の被写体では色収差中心９μｍで、夫々の補正後の差は４９μｍ程度の差をとなる。よって４３μｍのピント差が改善される。
【００３４】
蛍光灯下での図６（ｂ）に示す緑の被写体の場合、ＡＦイメージセンサー１６によりそのままＡＦを行うと、図６（ｂ）に示す波長強度の割合と、図９の色収差をもとにピント位置ずれ量を算出すると蛍光灯下緑の被写体では色収差中心−４４μｍ程度で相関演算行ったこととなる。
【００３５】
蛍光灯下での緑の被写体のＲ、Ｇ、Ｂ、ＩＲの測光結果の比は、Ｒ＝０．２５、Ｇ＝１．３、Ｂ＝０．２、ＩＲ＝０．０６となる。この夫々の出力比と色収差係数をもとに前述と同様に色収差補正量を算出すると、色収差補正値は、約−４５μｍとなる。前述の基準光源での計算と同様に、相関演算を算出した色収差中心−４４μｍに対して色収差補正値−４５μｍを引いた値、１μｍが色収差補正後の値となる。即ち、Ｒ、Ｇ、Ｂ、ＩＲの測光結果と色収差係数をもとに補正量を算出した結果を相関演算に加味した場合、ＡＦ基準光源８μｍと蛍光灯下の緑の被写体では１μｍで、夫々の補正後の差は７μｍ程度のすれ収まるのに対して、補正をかけない場合は、ＡＦ基準光源では色収差中心５８μｍと蛍光灯下の赤の被写体では色収差中心−４５μｍで、夫々の補正前の差は１０３μｍ程度の差をとなり、９６μｍのピント差が改善される。次に蛍光灯下での図６（ｃ）に示す青の被写体の場合、ＡＦイメージセンサー１６によりそのままＡＦを行うと、図６（ｃ）に示す波長強度の割合と、図９の色収差をもとにピント位置ずれ量を算出すると蛍光灯下での青の被写体では色収差中心で算出を行ったこととなる。
【００３６】
蛍光灯下での青の被写体のＲ、Ｇ、Ｂ、ＩＲの測光結果の比は、Ｒ＝０．０６、Ｇ＝０．３５、Ｂ＝０．７５、ＩＲ＝０．０５となる。この夫々の出力比と色収差係数をもとに前述と同様に補正量を算出すると、色収差補正値は、約−３３μｍとなる。前述の基準光源での計算と同様に、相関演算を算出した色収差中心−３３μｍに対して色収差補正値−３３μｍを引いた値、０μｍが色収差補正後の値となる。即ち、Ｒ、Ｇ、Ｂ、ＩＲの測光結果と色収差係数をもとに補正量を算出した結果を相関演算に加味した場合、ＡＦ基準光源８μｍと蛍光灯下の青の被写体では０μｍで、夫々の補正後の差は８μｍ程度のずれで収まるのに対して、補正をかけない場合は、ＡＦ基準光源では色収差中心５８μｍと蛍光灯下の青の被写体では色収差中心−３３μｍで、夫々の補正前の差は９１μｍ程度の差をとなり、８８μｍのピント差が改善される。次に図５の（ｄ）に示す太陽光下での標準反射板の被写体の場合、ＡＦイメージセンサー１６によりそのままＡＦを行うと、図５（ｄ）に示す波長強度の割合と、図９の色収差をもとにピント位置ずれ量を算出すると２２μｍ程度の色収差中心で相関演算行ったこととなる。
【００３７】
太陽光下での標準反射板被写体のＲ、Ｇ、Ｂ、ＩＲの測光結果の比は、Ｒ＝６．０、Ｇ＝６．３、Ｂ＝２．２、ＩＲ＝３．６となる。この夫々の出力比と色収差係数をもとに前述と同様に補正量を算出すると、色収差補正値は、約２０μｍとなる。前述の基準光源での計算と同様に、相関演算を算出した色収差中心２２μｍに対して色収差補正値２０μｍを引いた値、２μｍが色収差補正後値となる。即ち、Ｒ、Ｇ、Ｂ、ＩＲの測光結果と色収差係数をもとに補正量を算出した結果を相関演算に加味した場合、ＡＦ基準光源８μｍと標準反射板の被写体では２μｍで、夫々の補正後の差は６μｍ程度のずれで収まるのに対して、補正をかけない場合は、ＡＦ基準光源では色収差中心５８μｍと太陽光下での標準反射板被写体では色収差中心２３μｍで、夫々の補正前の差は２５μｍ程度の差をとなり、１９μｍのピント差が改善される。
【００３８】
次に図５（ｅ）に示す赤い被写体（例えば赤い葉っぱ）の場合、ＡＦイメージセンサー１６によりそのままＡＦを行うと、図５（ｅ）に示す波長強度の割合と、図９の色収差をもとにピント位置ずれ量を算出すると１１３μｍ程度の色収差中心で相関演算行ったこととなる。
【００３９】
赤い被写体、のＲ、Ｇ、Ｂ、ＩＲの測光結果の比は、Ｒ＝１．１、Ｇ＝０．６５、Ｂ＝０．２５、ＩＲ＝２．５なる。この夫々の出力比と色収差係数をもとに前述と同様に補正量を算出すると、色収差補正値は、約９９μｍとなる。前述の基準光源での計算と同様に、相関演算を算出した色収差中心１１３μｍに対して色収差補正値９９μｍを引いた値、１４μｍが色収差補正値となる。即ち、Ｒ、Ｇ、Ｂ、ＩＲの測光結果と色収差係数をもとに補正量を算出した結果を相関演算に加味した場合、ＡＦ基準光源８μｍと太陽光下での赤い被写体では１４μｍで、夫々の補正後の差は６μｍ程度のずれで収まるのに対して、補正をかけない場合は、ＡＦ基準光源では色収差中心５８μｍと太陽光下での赤い被写体では収差中心１１３μｍで、夫々の補正前の差は５５μｍ程度の差をとなり、４７μｍのピント差が改善される。
【００４０】
また図５（ｆ）に示す緑の被写体（例えば緑の葉っぱ）の場合、ＡＦイメージセンサー１６によりそのままＡＦを行うと、図５（ｆ）に示す波長強度の割合と、図９の色収差をもとにピント位置ずれ量を算出すると７０μｍ程度の色収差中心関演算行ったこととなる。
【００４１】
緑の被写体、のＲ、Ｇ、Ｂ、ＩＲの測光結果の比は、Ｒ＝０．８、Ｇ＝１．２、Ｂ＝０．４、ＩＲ＝１．６なる。この夫々の出力比と色収差係数をもとに前述と同様に補正量を算出すると、色収差補正値は、約５６μｍとなる。前述の基準光源での計算と同様に、相関演算を算出した色収差位置７０μｍに対して補正値５６μｍを引いた値、１３μｍが色収差補正値となる。即ち、Ｒ、Ｇ、Ｂ、ＩＲの測光結果と色収差係数をもとに補正量を算出した結果を相関演算に加味した場合、ＡＦ基準光源８μｍと太陽光下での緑の被写体では１３μｍで、夫々の色収差補正後の差は５μｍ程度のずれで収まるのに対して、補正をかけない場合は、ＡＦ基準光源では色収差中心５８μｍと太陽光下での緑の被写体では色収差中心７０μｍで、夫々の補正前の差は１２μｍ程度の差をとなり、７μｍのピント差が改善される。
【００４２】
以上のように、各種光源下及び各被写体の反射分光の違いにより同一距離で発生するピントずれを軽減することができる。
【００４３】
そして、Ｓ１１０にてＳ１０６までに行ったレンズ駆動量に対して残りの駆動量と、Ｓ１０９で算出した補正量を加えた駆動量の駆動を開始して、Ｓ１１１にてレンズ駆動が完了したか否かの判定を行い、完了したらＳ１１２でレンズ駆動を停止してＡＦのシーケンスを終了する。
【００４４】
このように、被写体の分光反射率に応じて、被写体の色によってずれる焦点検出結果を補正するので、撮影レンズの色収差の要因で同一距離の被写体であっても焦点検出結果に差（ピントずれ）が生じることを防止することができる。
【００４５】
また、撮影レンズ２内レンズ情報２２のＥＥＰＲＯＭ或いは、カメラ本体内ＥＥＰＲＯＭに記憶された撮影光学系２１の複数の波長毎に有する色収差によるピントのずれ量のデータ等の情報を用いて、それぞれの被写体ごとのピント位置ずれ量を算出するので、ユーザが撮影ごとにレンズを取り換えた場合であっても、レンズごとに異なる色収差の特性に対応した焦点検出を行うことが可能となる。
【００４６】
（第２の実施例）
第２の実施例は、第１の実施例の構成に対して測光センサー１０５がＲ、Ｇ、Ｂ、ＩＲ検出タイプではなく、可視光検出タイプである。そして、ＡＦイメージセンサー１６に図１５に示すように、可視領域とＩＲ領域に感度を持つセンサーアレイと、センサーアレイに近接して、Ｒ，Ｇ，Ｂ、ＩＲの感度を持つセンサーを配置している。図１７に中央の横ラインに位置するＬ３ａ、Ｌ３ｂの一対のセンサーの拡大図を表す、Ｌ３ａのラインセンサー側の近傍に図９の（３）のＲの感度を持つＬ３Ｒと（１）のＢの感度を持つＬ３Ｂのラインセンサーを配置して、Ｌ３ｂの近傍に図９の（２）のＧの感度を持つＬ３Ｇと（４）のＩＲの感度を持つＬ３ＩＲのラインセンサーを配置している。このセンサーの構成は、Ｌ１ａ、Ｌ１ｂ〜Ｌ８ａ、Ｌ８ｂのラインセンサーの夫々のラインセンサーに同様に構成している。
【００４７】
図１９は、本発明の第２実施例の焦点検出の動作（以下ＡＦ動作）を示したフローチャートである。
【００４８】
本フローチャートをもとに本発明のＡＦ動作を説明する。まず、Ｓ２０１にてマイコン１１から制御信号を受けてＡＦイメージセンサー１６は図１５に示すような複数のラインセンサーＬ１ａ、Ｌ１ｂ、〜Ｌ８ａ、Ｌ８ｂ、の８個ＡＦポイントの積分を開始するとともに、夫々の近傍に配置しているＲ、Ｇ、Ｂ、ＩＲのラインセンサーの積分を開始する。そして、Ｓ２０２にて、ラインセンサーの中の最大の積分値が所定レベルに達したか否か判定する。ここで所定レベルに達するまで積分を行い、最大値が所定レベルに達したら、Ｓ２０３にてＬ１ａ、Ｌ１ｂ、〜Ｌ８ａ、Ｌ８ｂ、の８個ＡＦポイント及び夫々の近傍に配置しているＲ、Ｇ、Ｂ、ＩＲのラインセンサーの積分を停止する。そしてＳ２０４で、マイコン１１にて積分を制御されて得られたセンサーデータをもとに相関演算を行い、夫々のＡＦポイントの演算結果を算出する。そして夫々のＡＦポイントの演算結果より適正なＡＦポイント（例えば最も近い被写体等）を焦点検出のアルゴリズムより求める。
【００４９】
そして、Ｓ２０５にてＡＦの補正演算を行う。補正演算は、Ｓ２０４の相関演算にて算出され決定したＡＦポイントの近傍に配置されたＲ、Ｇ、Ｂ、ＩＲのラインセンサーの積分結果、即ちＡＦ結果を算出した被写体の色の輝度値より行う。又、更にＳ２０４で相関演算にて算出したＡＦ結果と合致するラインセンサーの演算エリア（演算ウインドウ）と位置の合致するＲ、Ｇ、Ｂ、ＩＲのラインセンサーの積分値により行うものである。このように補正値算出エリアを合焦被写体と合わせることにより、被写体そのもののＡＦ補正量を算出することができる。そして上記のように選択されたＲ、Ｇ、Ｂ、ＩＲのラインセンサーの積分値（輝度情報）より補正値の演算を行う。
【００５０】
Ｒ、Ｇ、Ｂ、ＩＲ輝度情報を元に行う補正演算は第１の実施例の補正演算と同様であるので省略する。
【００５１】
そして、Ｓ２０４にて求められた相関演算の算出結果とＳ２０５にて算出した補正演算の結果をもとに、Ｓ２０６にて撮影レンズ２内撮影光学系２１の駆動を開始する。そしてＳ２０７にて相関演算にて算出しレンズ駆動量に補正演算にて算出した補正量を加味した所定のレンズ駆動量まで駆動したか否かを判定して、所定の駆動量が完了したら、Ｓ２０８レンズ駆動を停止してＡＦシーケンスを終了する。
【００５２】
上記実施例において、Ｒ、Ｇ、Ｂ、ＩＲのラインセンサーをＡＦのラインセンサー近傍に配置して夫々の分光の光強度を検出して色収差補正値を算出したが、ラインセンサーの分光はＲ、Ｇ、Ｂ、ＩＲの構成に限るものでなく、例えば図１８に示すような、測距用のラインセンサーとＲ、Ｇ、Ｂのみの構成で、測距用のセンサーからＲ、Ｇ、Ｂ出力を減算してＩＲの光強度を求めるようにしても良い。また図１６に示すようにＲ、Ｇ、Ｂ、ＩＲはラインセンサーでなく複数に分割されたフォトダイオードを配置しても良い。
【００５３】
このように、被写体の分光反射率に応じて、被写体の色によってずれる焦点検出結果を補正するので、焦点検出結果にずれが生じることを防止することができる。
【００５４】
（第３の実施例）
第３の実施例は、第１の実施例の図１の構成に対して、メインミラー５が、第１の実施例にて説明した中央部のみのハーフミラーでなく、ミラー全面がハーフミラーで構成され図１０に示すような角度で保持されている。よって、撮影レンズ２の撮影光学系を通過した光束は、メインミラーを介して透過光は撮像素子１０２に、反射光はサブミラー６により反射され、ＡＦ反射ミラー１２、フィールドレンズ１３、図２２に示す分光特性を有するＩＲカットフィルタ１４、メガネレンズ１５を介して、ＡＦイメージセンサー１６に導かれる。よって、ファインダーには光束が導かれない状態になる。ただし、シャッター１０１はＡＦシーケンス中、常時開状態にあり撮像素子１０２には常時光束が導かれる。そして、撮像素子１０２からのアナログ信号を、画像処理回路４３のＡ／Ｄ変換器によりデジタル化した画像データを、メモリ制御４４により画像データの転送制御を行い、画像データ表示メモリ４５に記憶する。そして、画像表示メモリ４５に記憶された画像データが、液晶ドライバ４１にあるＤ／Ａ変換器によりアナログ化され、液晶ディスプレー４２に表示される。この液晶ディスプレーはいわゆる電子ファインダーであり図１のような一眼レフカメラに構成されている。その他は、第１の実施例の図１の構成と同様の構成である。
【００５５】
また、メインミラー５が図１に示す位置の状態のときは、第１の実施例同様の光学ファインダーを構成する。よって、本カメラは、光学ファインダーによる撮影モードと、液晶ディスプレーによる電子ファインダーによる撮影モードの２つの撮影モードを有するカメラである。
【００５６】
図２０は、本発明の第３の実施例の焦点検出の動作（以下ＡＦ動作）を示したフローチャートである。第一の撮影モードである光学ファインダーによる撮影モードでのＡＦ動作は、第１の実施例と同じであり第一の撮影モードでのＡＦ動作は省略する。
【００５７】
以下、図２０のフローチャートをもとに第二の撮影モードである電子ファインダーによる撮影モードのＡＦ動作を説明する。まず、Ｓ３０１にてマイコン１１からの制御信号を受けて、ＡＦイメージセンサー１６は、図１３に示すような複数のラインセンサーＬ１ａ、Ｌ１ｂ〜Ｌ８ａ、Ｌ８ｂの８個ＡＦポイントの積分を開始する。
【００５８】
また、ＡＦ動作に並行して液晶４２による電子ファインダー表示動作を行う。ファインダー表示動作は、次の手順で行われる。まず、Ｓ３２０で撮像素子１０２からの画像データが画像処理回路４３のＡ／Ｄ変換器によりＡ／Ｄ変換され、Ｓ３２１にて所定の画像処理が行われ、メモリ制御４４により画像表示メモリ４５に画像データが書き込まれる（Ｓ３２２）。そして、画像データメモリ４５に書き込まれた画像データは、液晶ドライバ４１に送られ、液晶ドライバ４１のＤ／Ａ変換器によりアナログ化され、液晶ディスプレー４２に画像表示される（Ｓ３２３）。この表示は後述のＳ３０６の結果を検出するまで繰り返し行われる。
【００５９】
Ｓ３０２ではＡＦイメージセンサー１６の複数のラインセンサーの中の最大の積分値が所定レベルに達したか否かを判定する。ここで、所定レベルに達するまで積分を行い、最大値が所定レベルに達したら、Ｓ３０３にて積分を停止する。そして、Ｓ３０４でマイコン１１にて積分されて得られたセンサーデータをもとに、相関演算が行われ夫々のＡＦポイントの演算結果が算出される。そして夫々のＡＦポイントの演算結果より適正なＡＦポイント（例えば最も近い被写体等）を焦点検出のアルゴリズムより求められる。そして、Ｓ３０４にて求められたＡＦの結果をもとに、Ｓ３０５にて撮影レンズ２内の撮影光学系（レンズ）２１の駆動を開始する。Ｓ３０６でレンズ２１が所定デフォーカス量以内か判定して、所定デフォーカス以内であれば、Ｓ３０７にて一度レンズ駆動を停止すると同時に、並行して行われている画像表示動作のＳ３２４に所定デフォーカス量であることを出力する。そして、画像表示動作のＳ３２５に進み撮像素子１０２の画像データを記憶した画像表示メモリ４５より、撮像素子からの画像データであるイメージャーデータをマイコン１１に出力する。出力が完了したら（Ｓ３２６）、Ｓ３２０の画像取り込みに戻り、画像表示動作を繰り返す。
【００６０】
Ｓ３０８にてＳ３２５で受けたイメージャーデータはマイコン１１内ＲＡＭに記憶している。そしてＳ３０６にてＳ３０４の演算にて算出した演算結果をもとに選択されたＡＦポイントと合致する撮像素子１０２のエリアの画像データを切り出す。例えばＳ３０４にて選択されたＡＦポイントが図１３に示す（Ｌ６ａ）と（Ｌ６ｂ）の場合には、図２１のＬ６に位置する画像データを、また（Ｌ４ａ）と（Ｌ４ｂ）を選択された場合には、図２１のＬ４に位置する画像データを測光値として切り出しをする。そして、Ｓ３０８で得たＲ、Ｇ、Ｂの画像データであるところのイメージャーデータをもとにＡＦの補正演算を行う（Ｓ３０９）。
【００６１】
Ｓ３０８で得たイメージャーデータはＲ、Ｇ、Ｂデータのみであるが、被写体及び光源によってレンズピントを大きく左右するのはＩＲ成分であるので、Ｓ３０９では、ＩＲ成分の算出を行う。
【００６２】
ＩＲ成分の算出方法は以下の通りである。図９の（５）はレンズの前述図３と同様にＡＦイメージセンサー１６の透過分光の波長毎のピント位置を示している。（１）〜（４）は図１２に示す撮像素子１０２のＲ、Ｇ、Ｂの夫々の透過分光を示している。（１）は青のＢ、（２）は緑のＧ、（３）は赤のＲ、の透過分光である。実施例１との違いとして撮像素子１０２は、ＩＲの受光センサーを有していない。よって、Ｒ、Ｇ、Ｂ、及びＩＲを受光するＡＦイメージセンサー１６の積分を行ったデータよりＩＲ成分の輝度情報を算出する。ただし、ＡＦイメージセンサー１６と、撮像素子１０２は別々の素子である。よって、ＡＦイメージセンサー１６と、撮像素子１０２のＲ、Ｇ、Ｂに夫々の係数をかけて算出する。例えば、
ＩＲ＝ＡＦイメージセンサ積分値−（Ｒ×Ｋ１＋Ｇ×Ｋ２＋Ｂ×Ｋ３）
として算出する。
【００６３】
そして、上記算出したＲ、Ｇ、Ｂ、ＩＲの輝度情報の夫々の値から、補正値を算出する。
【００６４】
Ｒ、Ｇ、Ｂ、ＩＲの輝度情報を元に行う補正演算は第１の実施例の補正演算と同様であるので省略する。
【００６５】
そして、Ｓ３１０にてＳ３０６までに行ったレンズ駆動量に対して残りの駆動量とＳ３０９で算出した補正量を加えた駆動量の駆動をして、Ｓ３１１にてレンズ駆動が完了したか否かの判定を行い、完了したらＳ３１２でレンズ駆動を停止してＡＦのシーケンスを終了する。
【００６６】
ＡＦイメージセンサからの出力値と、撮像素子からの出力値では、光路が異なるために測光位置にずれが生じる場合があるが、上述のＩＲ成分の算出では、このずれを補正する係数をかけるので、測光位置のずれを補正した適正なＩＲ成分を求めることができる。
【００６７】
また、上記ＩＲ成分の検出の精度向上するために、ＡＦイメージセンサー１６に図１４に示すようにＡＦ用のラインセンサーＬ１ａ、Ｌ１ｂ〜Ｌ８ａ、Ｌ８ｂ近傍に、撮像素子のＲ、Ｇ、Ｂセンサーの何れかの分光特性と同様の参照センサーＬＲ１ａ、ＬＲ１ｂ〜ＬＲ８ａ、ＬＲ８ｂを配置し、参照用センサーを基準としてＩＲ成分の算出をしても良い。上述したように、被写体の画像データを撮像して取得する撮像素子の出力信号を、被写体の色によってずれる焦点検出結果の補正演算に利用するので、カメラに新たなセンサーや回路を構成する必要がない。よって、生産コストを抑えることができる。
【００６８】
また、被写体の分光反射率に応じて、被写体の色によってずれる焦点検出結果を補正するので、焦点検出結果にずれが生じることを防止することができる。
【００６９】
なお、第１の実施例〜第３の実施例では、被写体の分光感度を検出するフィルタをＲ、Ｇ、Ｂ、ＩＲとしたが、複数の波長を受光するセンサーを設け、その波長ごとにずれるＡＦのピントずれ量から補正値を求めるものであればＲ、Ｇ、Ｂ、ＩＲに限るものではない。波長の間隔をより細かく区別して受光し、その波長ごとにずれるＡＦのピントずれ量から補正値を求めれば、より高精度のＡＦを実現できる。
【図面の簡単な説明】
【００７０】
【図１】本発明の第１の実施例のカメラの構成図である。
【図２】第１の実施例のフローチャートである。
【図３】撮影レンズの色収差特性を示す図である。
【図４】各種光源の分光特性図である。
【図５】各種被写体分光特性と撮影レンズの色収差特性を示す図である。
【図６】蛍光灯下での被写体色分光特性と撮影レンズの色収差特性を示す図である。
【図７】測距光学系のモデル図である。
【図８】ファインダー内にＡＦ位置と測光位置を示した図である。
【図９】撮影レンズ色収差に焦点検出ずれを表した図である。
【図１０】本発明の第１の実施例のカメラの構成図である。
【図１１】第１の実施例の測光センサーの詳細図である。
【図１２】第３の実施例の撮像素子の詳細図である。
【図１３】第１及び第３の実施例のＡＦイメージセンサーのセンサーアレイ図である。
【図１４】第３の実施例のＡＦイメージセンサーのセンサーアレイ図である。
【図１５】第２の実施例のＡＦイメージセンサーのセンサーアレイ図である。
【図１６】第２の実施例のＡＦイメージセンサーのセンサーアレイ図の詳細の一例を表す図である。
【図１７】第２の実施例のＡＦイメージセンサーのセンサーアレイ図の詳細の一例を表す図である。
【図１８】第２の実施例のＡＦイメージセンサーのセンサーアレイ図の詳細の一例を表す図である。
【図１９】第２の実施例のフローチャートである。
【図２０】第３の実施例のフローチャートである。
【図２１】電子ファインダー内（撮像素子上）にＡＦ位置を示した図である。
【図２２】ＩＲカットフィルター分光特性を示す図である。
【符号の説明】
【００７１】
１  カメラボディ
２  撮影レンズ
３  補助光装置
４  光束
５  メインミラー
６  サブミラー
１１  マイコン
１２  ＡＦ反射ミラー
１３  フィールドレンズ
１４  ＩＲカットフィルタ
１５  メガネレンズ
１６  ＡＦイメージセンサー
２１  撮影光学系
２２  レンズ情報
３１  投光光学系
３２  光源
３３  補助光駆動手段
１０１  シャッター
１０２  撮像素子
１０３  ペンタプリズム
１０４  ファインダー光学系
１０５  測光センサー
１０６  ＡＥ集光レンズ
【図１】
2006317595.tif 000003
【図２】
2006317595.tif 000004
【図３】
2006317595.tif 000005
【図４】
2006317595.tif 000006
【図５】
2006317595.tif 000007
【図６】
2006317595.tif 000008
【図７】
2006317595.tif 000009
【図８】
2006317595.tif 000010
【図９】
2006317595.tif 000011
【図１０】
2006317595.tif 000012
【図１１】
2006317595.tif 000013
【図１２】
2006317595.tif 000014
【図１３】
2006317595.tif 000015
【図１４】
2006317595.tif 000016
【図１５】
2006317595.tif 000017
【図１６】
2006317595.tif 000018
【図１７】
2006317595.tif 000019
【図１８】
2006317595.tif 000020
【図１９】
2006317595.tif 000021
【図２０】
2006317595.tif 000022
【図２１】
2006317595.tif 000023
【図２２】
2006317595.tif 000024
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
被写体によって反射された光を一対の受光センサーにより受光し、前記一対の受光センサーからの信号の位相差に応じて焦点調節駆動をするための焦点検出情報を検出する焦点検出手段と、
被写体光中の複数の波長領域ごとの信号を検出する検出手段と、
複数の波長領域に応じた光学系のピントずれ情報を保持する保持手段と、
前記波長領域ごとの信号の比が変化すると、前記光学系のピントずれ情報に基づいて前記焦点調節駆動を変更するよう制御する制御手段とを備えたことを特徴とする光学装置。
【請求項２】
前記複数の波長領域は、Ｒ、Ｇ、Ｂに対応する波長領域であることを特徴とする請求項１に記載の光学装置。
【請求項３】
被写体光中の赤外光であるＩＲに対応する波長領域の信号を検知する検知手段を更に備え、
前記制御手段は、前記Ｒ、Ｇ、Ｂに対応する各波長領域の信号比と前記ＩＲに対応する波長領域の信号比に応じて、前記焦点調節駆動を変更することを特徴とする請求項２に記載の光学装置。
【請求項４】
被写体光を受光して焦点調節駆動をするための焦点検出情報を検出する焦点検出手段と、
被写体光中の複数の波長領域ごとの信号を検出する検出手段と、
複数の波長領域に応じた光学系のピントずれ情報を保持する保持手段と、
赤外領域の信号を検出する検出手段と、
前記複数の波長領域ごとの信号と前記赤外領域の信号の少なくとも一方が変化すると、前記光学系のピントずれ情報に基づいて前記焦点調節駆動を変更するよう制御する制御手段とを備えたことを特徴とする光学装置。
【請求項５】
前記検出手段は、露光量を調節するために被写体領域の光量を測定する測光手段を更に備えたことを特徴とする請求項１乃至４のいずれか１項に記載の光学装置。
【請求項６】
前記検出手段は、前記焦点検出手段と同一基板上に配置されていることを特徴とする請求項１乃至４のいずれか１項に記載の光学装置。
【請求項７】
前記検出手段は、被写体光を光電変換する撮像素子であり、
該撮像素子の出力を映像信号にする画像処理手段を更に備えたことを特徴とする請求項１乃至４のいずれか１項に記載の光学装置。
【請求項８】
被写体によって反射された光を一対の受光センサーにより受光し、前記一対の受光センサーからの信号の位相差に応じて焦点調節駆動をするための焦点検出情報を検出する焦点検出手段を備えた光学装置の制御方法であって、
被写体光中の複数の波長領域ごとの信号の比が変化すると、複数の波長領域に応じた光学系のピントずれ情報に基づいて焦点調節駆動を変更することを特徴とする光学装置の制御方法。
【請求項９】
被写体光を受光して焦点調節駆動をするための焦点検出情報を検出する焦点検出手段を備えた光学装置の制御方法であって、
被写体光中の赤外領域の信号を検出するステップと、
被写体光中の複数の波長領域ごとの信号を検出するステップと、
前記複数の波長領域ごとの信号と前記赤外領域の信号の少なくとも一方が変化すると、複数の波長領域に応じた光学系のピントずれ情報に基づいて焦点調節駆動を変更するステップとを有することを特徴とする光学装置の制御方法。
【手続補正２】
【補正対象書類名】明細書
【補正対象項目名】００１１
【補正方法】変更
【補正の内容】
【００１１】
本発明の光学装置は、被写体によって反射された光を一対の受光センサーにより受光し、前記一対の受光センサーからの信号の位相差に応じて焦点調節駆動をするための焦点検出情報を検出する焦点検出手段と、被写体光中の複数の波長領域ごとの信号を検出する検出手段と、複数の波長領域に応じた光学系のピントずれ情報を保持する保持手段と、前記波長領域ごとの信号の比が変化すると、前記光学系のピントずれ情報に基づいて前記焦点調節駆動を変更するよう制御する制御手段とを備えたことを特徴とする。
【手続補正３】
【補正対象書類名】明細書
【補正対象項目名】００１３
【補正方法】変更
【補正の内容】
【００１３】
また、本発明の光学装置の制御方法は、被写体によって反射された光を一対の受光センサーにより受光し、前記一対の受光センサーからの信号の位相差に応じて焦点調節駆動をするための焦点検出情報を検出する焦点検出手段を備えた光学装置の制御方法であって、被写体光中の複数の波長領域ごとの信号の比が変化すると、複数の波長領域に応じた光学系のピントずれ情報に基づいて焦点調節駆動を変更することを特徴とする。